(57)【特許請求の範囲】
【請求項１】
音を収音する収音手段と、
操作手段と、
前記音が収音された第１の領域から前記第１の領域と異なる第２の領域へと伝搬されるターゲット音の了解度を低下させるマスカ音であって、複数種類のマスカ音から前記操作手段によって選択されたマスカ音を、当該マスカ音の種類に対応付けられた利得で設定された音量で前記第２の領域に放音するマスカ音生成手段と、
前記第２の領域におけるターゲット音の了解度を報知する報知手段と、
前記マスカ音生成手段が放音するマスカ音の音量を前記操作手段の操作に応じた音量とするとともに、前記収音手段によって収音された音の音量と前記マスカ音生成手段が放音するマスカ音の音量との相対比および前記選択されたマスカ音の種類に対応付けられた補正係数に応じた了解度を前記報知手段に報知させる制御手段と
を具備することを特徴とする会話漏洩防止装置。
【請求項２】
了解度の複数のランクと各々対応づけられた複数の報知灯
を備え、
前記報知手段は、
前記収音手段によって収音される音の音量と前記マスカ音生成手段が放音するマスカ音の音量との相対比に基づいて前記第２の領域内における前記ターゲット音の了解度を算出し、算出した了解度が属するランクと対応づけられた報知灯を点灯させる
ことを特徴とする請求項１に記載の会話漏洩防止装置。
【発明の詳細な説明】
【技術分野】
【０００１】
本発明は、会話の漏洩を防ぐ技術に関する。
【背景技術】
【０００２】
室内から室外への会話音の漏洩を防止する会話漏洩防止装置のなかにはマスキング効果を利用したものがある。マスキング効果は、ある領域内に２種類の音が放音された場合に、その領域内にいる聴者の聴取対象である一方の音（ターゲット音）が他方の音(マスカ音)により隠蔽されて聴取対象の音(ターゲット音)の最小可聴値が上昇し、聴者における聴取対象の音(ターゲット音)の聴取能力が低下する現象である。この種の会話漏洩防止装置に関する技術を開示した文献として、特許文献１がある。同文献に開示されたシステムは、隣接する２つの部屋ＲＡ，ＲＢのうちの部屋ＲＡから壁を介して部屋ＲＢ内に透過する透過音をターゲット音とし、このターゲット音の音圧レベルと部屋ＲＢ内における暗騒音の音圧レベルを各々算出する。そして、このシステムは、部屋ＲＢ内における暗騒音の音圧レベルよりもターゲット音の音圧レベルが大きい場合には、会話音声と周波数スペクトルが類似したバンドノイズ音をマスカ音としてスピーカから部屋ＲＢ内に放音する。部屋ＲＢ内にマスカ音が放音されると、そのマスキング効果によって部屋ＲＢ内におけるターゲット音の不明瞭性が高められ、ターゲット音が聞き取りにくくなる。
【先行技術文献】
【特許文献】
【０００３】
【特許文献１】特開２００８−２３３６７１号公報
【発明の概要】
【発明が解決しようとする課題】
【０００４】
この種の会話漏洩防止装置において、ターゲット音の不明瞭性を高めるべく放音するマスカ音は、聴き心地のよくない、違和感を生じさせる音であることが多い。このため、会話漏洩防止装置を利用する話者が、マスカ音の音量レベルをできるだけ低くしたい、という要望を持つ場合がある。
しかしながら、ターゲット音の不明瞭性は、ターゲット音とマスカ音の音圧レベル比に依存する。よって、マスカ音の音量レベルを低くしたときはそれに合わせて話者の話声も小さくしないと、その話声のターゲット音の十分な不明瞭性が確保できなくなってしまうという問題がある。
本発明は、このような背景の下に案出されたものであり、話者がマスカ音の音量を下げたときにその話声の大きさを抑えることを促すような仕組みを提供することを目的とする。
【課題を解決するための手段】
【０００５】
本発明の好適な態様である会話漏洩防止装置は、音を収音する収音手段と、操作手段と、前記音が収音された第１の領域から前記第１の領域と異なる第２の領域へと伝搬されるターゲット音の了解度を低下させるマスカ音を前記第２の領域に放音するマスカ音生成手段と、前記第２の領域におけるターゲット音の了解度を報知する報知手段と、前記マスカ音生成手段が放音するマスカ音の音量を前記操作手段の操作に応じた音量とするとともに、前記収音手段によって収音された音の音量と前記マスカ音生成手段が放音するマスカ音の音量との相対比に応じた了解度を前記報知手段に報知させる制御手段とを具備する会話漏洩防止装置を提供する。
【０００６】
本発明では、話者が、音量ボリュームなどの操作手段を操作して第２の領域に放音するマスカ音の音量を小さくすると、より高い了解度を報知する。よって、話者がマスカ音の音量を下げたときにその話声の大きさを抑えることを促すことができる。
【図面の簡単な説明】
【０００７】
【図１】本発明の実施の形態である会話漏洩防止装が設置される部屋を模式的に示した図である。
【図２】同会話漏洩防止装の構成を示すブロック図である。
【図３】同会話漏洩防止装のテーブルメモリに記憶されたテーブルにおける了解度と音圧レベル比の対応関係を示す図である。
【発明を実施するための形態】
【０００８】
以下、図面を参照しつつ本発明の実施形態について説明する。
図１は、本発明の実施の形態である会話漏洩防止装置１０が設置される部屋９１，９２を模式的に示した図である。図２は、会話漏洩防止装置１０の構成を示すブロック図である。図１に示すように、会話漏洩防止装置１０は、第１および第２の領域を構成する２つの部屋９１，９２のうち一方の部屋９１に置かれ、他方の部屋９２のスピーカ９７とケーブル９３により接続される。部屋９１内において、会話漏洩防止装置１０は、部屋９１内の話者から１ｍ程度離れた位置に置くとよい。
【０００９】
部屋９１内の話者が話声Ｓを発生させると、その話声Ｓは壁９０を透過し、壁９０を透過した音はターゲット音Ｒとして部屋９２内に伝搬する。会話漏洩防止装置１０は、部屋９２内におけるターゲット音Ｒの不明瞭性を高めるマスカ音Ｍを部屋９２のスピーカ９７から放音する第１の役割と、緑、黄色、赤の各々の報知灯９６（Ｇ）、９６（Ｙ）、９６（Ｒ）の点灯を通じてその部屋９２内におけるターゲット音Ｒの不明瞭性の程度を話者に知らせる第２の役割とを果たす装置である。これら２つの役割に着目して会話漏洩防止装置１０の動作の概要を説明すると、次の通りである。
【００１０】
部屋９２にマスカ音Ｍを放音した場合におけるターゲット音Ｒの不明瞭性は、以下に示す２つの要素に依存する。１つ目の要素は、マスカ音Ｍの周波数スペクトルである。２つ目の要素は、部屋９２内におけるターゲット音Ｒの音量レベルＬＲ（ｄＢ）と、部屋９２内におけるマスカ音Ｍおよび暗騒音Ｍａの音量レベル（ＬＭ＋ＬＭａ）＊（ｄＢ）との音量レベル比ＴＭ（ＴＭ＝ＬＲ−（ＬＭ＋ＬＭａ）＊（ｄＢ））である。ここで、音量レベル（ＬＭ＋ＬＭａ）＊は、マスカ音Ｍの音量レベルＬＭ（ｄＢ）と暗騒音Ｍａの音量レベルＬＭａ（ｄＢ）の各々を真数に変換して加算し、加算結果を対数に変換した値である（（ＬＭ＋ＬＭａ）＊＝１０ｌｏｇ（１０＊＊（ＬＭ／１０）＋１０＊＊（ＬＭａ／１０）））。
たとえば、マスカ音Ｍの音量レベルＬＭを一定にしてその周波数スペクトルを変えた場合、マスカ音Ｍとターゲット音Ｒの周波数スペクトルが似ているほどターゲット音Ｒの不明瞭性は高まる。また、マスカ音Ｍの周波数スペクトルを変えずにその音量レベルＬＭを変えた場合、マスカ音Ｍの音量レベルＬＭが大きいほどターゲット音Ｒの不明瞭性は高まる。
【００１１】
そこで、会話漏洩防止装置１０は、第１の役割では、以下の３種類の音のうち話者によって選択された種類の音をマスカ音Ｍとして部屋９２のスピーカ９７から放音し、そのマスカ音Ｍの音量レベルＬＭを話者の指定に従って調整する。
ａ１．ノイズのみを含む音（以下、「ノイズ音」）
ｂ１．ノイズと人声を所定の比率で混合した音（以下、「ミックス音」）
ｃ１．人声のみを含む音（以下、「人声音」）
【００１２】
そして、会話漏洩防止装置１０は、第２の役割では、部屋９１における話声Ｓをマイクロホン９５により収音し、この話声Ｓから部屋９２におけるターゲット音Ｒの不明瞭性の程度を表す指標値である了解度ＷＩＳ（Word Intelligibility Score：０．０００≦ＷＩＳ≦１．０００）を求め、以下の表１に示す３種類の了解度ランク「Ａ」、「Ｂ」、「Ｃ」のうち了解度ＷＩＳが属する了解度ランクに対応づけられた色の報知灯９６を点灯させる。
【表１】
0005532729.tif 000002
以上が、会話漏洩防止装置１０の動作の概要である。
【００１３】
次に、会話漏洩防止装置１０をなす各部の構成について、詳述する。
図２において、マスカ音メモリ１１は、ノイズ音、ミックス音、および人声音の各々のマスカ音データＭ−ｄａｔａを記憶したメモリである。マスカ音データＭ−ｄａｔａは、ノイズ音、ミックス音、および人声音の各々の音波形を示すデータである。
【００１４】
暗騒音メモリ１２は、暗騒音データＭａ−ｄａｔａを記憶したメモリである。暗騒音データＭａ−ｄａｔａは、会話漏洩防止装置１０が設置されている部屋９１の隣の部屋９２において予め収音された暗騒音Ｍａの音波形を示すデータである。
【００１５】
了解度メモリ１４は、テーブルｔｂｌ−ｎ，ｔｂｌ−ｍ，ｔｂｌ−ｖを記憶したメモリである。
テーブルｔｂｌ−ｎは、マスカ音Ｍがノイズ音である場合における、ターゲット音Ｒとマスカ音Ｍとの音量レベル比ＴＭ（ＴＭ＝Ｒ−Ｍ）と部屋９２におけるターゲット音Ｒの了解度ＷＩＳとを対応づけるテーブルである。
テーブルｔｂｌ−ｍは、マスカ音Ｍがミックス音である場合における、ターゲット音Ｒとマスカ音Ｍとの音量レベル比ＴＭ（ＴＭ＝Ｒ−Ｍ）と部屋９２におけるターゲット音Ｒの了解度ＷＩＳとを対応づけるテーブルである。
テーブルｔｂｌ−ｖは、マスカ音Ｍが人声音である場合における、ターゲット音Ｒとマスカ音Ｍとの音量レベル比ＴＭ（ＴＭ＝Ｒ−Ｍ）と部屋９２におけるターゲット音Ｒの了解度ＷＩＳとを対応づけるテーブルである。
【００１６】
図３は、了解度ＷＩＳを縦軸とし音量レベル比ＴＭを横軸とする座標系に、３つのテーブルｔｂｌ−ｎ，ｔｂｌ−ｍ，ｔｂｌ−ｖにおける了解度ＷＩＳと音量レベル比ＴＭの対応関係を重ねたものである。図３に示すように、音量レベル比ＴＭが同じである場合における了解度ＷＩＳは、ノイズ音→ミックス音→人声音の順で低くなる。
【００１７】
操作部２０は、マスカ音Ｍの音量レベルＬＭを指示する音量調整ボリューム２１と、以下に示す３種類の選択操作を行うための各種スイッチ群２２とを含む。
ａ２．マスカ選択操作
これは、ノイズ音、ミックス音、人声音のうち１つを部屋９２に放音するマスカ音Ｍとして選択する操作である。
ｂ２．遮音等級選択操作
これは、ＪＩＳ  Ａ  １４１９−１に規定されている各遮音等級ｉ（ｉ＝１０，１５，２０…）のうちから会話漏洩防止装置１０が設置される部屋９１と隣の部屋９２とを隔てる壁９０の遮音等級ｉを選択する操作である。
ｃ２．モード選択操作
これは、会話漏洩防止装置１０の動作モードであるモードＡとモードＢのうち一方を選択する操作である。モードＡは、音量調整ボリューム２１の操作に応じてマスカ音Ｍの音量レベルＬＭをマニュアル調整するモードであり、モードＢは、部屋９２内におけるターゲット音Ｒの了解度ＷＩＳが予め指定された上限値ＷＩＳLIMIT（たとえば、ＷＩＳLIMIT＝０．０１０とする）以下に保たれるようにマスカ音Ｍの音量レベルＬＭを自動調整するモードである。
【００１８】
マイクロホン９５は、部屋９１において収音した話声Ｓを示す電気信号を出力する。
マスカ音生成部３０は、マスカ音Ｍをスピーカ９７から部屋９２に放音する手段である。マスカ音生成部３０は、再生部３１、イコライザ３２、メインアンプ３３、モードＡ用アンプ３４、モードＢ用アンプ３５、およびＤ／Ａ変換部３６を有する。このマスカ音生成部３０内の各部の動作内容は、以下の通りである。再生部３１は、マスカ音メモリ１１に記憶されている３種類のマスカ音データＭ−ｄａｔａのうちマスカ選択操作によって選択された音のマスカ音データＭ−ｄａｔａを再生対象とし、この再生対象としたマスカ音データＭ−ｄａｔａを信号Ｍ（ｋ）として出力する処理を繰り返す。
【００１９】
再生部３１の出力信号Ｍ（ｋ）は、イコライザ３２によるイコライジングを経た後、メインアンプ３３、モードＡ用アンプ３４、およびモードＢ用アンプ３５による増幅を経てＤ／Ａ変換部３６に入力される。
イコライザ３２は、制御部７０によって設定されるパラメータＰａｒａ−Ｅに従い、再生部３１の出力信号Ｍ（ｋ）の周波数特性を壁９０を透過した場合と同等の周波数特性に調整する。制御部７０によるパラメータＰａｒａ−Ｅの設定の詳細は、後述する。
メインアンプ３３、モードＡ用アンプ３４、モードＢ用アンプ３５は、各々の利得ｇ−３３，ｇ−３４、ｇ−３５が可変なアンプである。
メインアンプ３３には、マスカ選択操作によってマスカ音Ｍの種類が切り換えられる度に、切り換え後の種類に対応づけられた利得ｇ−３３が制御部７０によって設定される。ノイズ音、ミックス音、人声音の各々におけるメインアンプ３３の利得ｇ−３３は、利得ｇ−３３を乗じた信号の再生音レベルが以下の表２に示す再生音レベルとなるように設定されている。
【００２０】
【表２】
0005532729.tif 000003
モードＡ用アンプ３４は、モードＡにおけるマスカ音Ｍの音量レベルＬＭのマニュアル調整のためのアンプであり、モードＢ用アンプ３５は、モードＢにおけるマスカ音Ｍの音量レベルＬＭの自動調整のためのアンプである。制御部７０は、モードＡでは、音量調整ボリューム２１の操作に応じてモードＡ用アンプ３４の利得ｇ−３４と報知部４０内の収音信号用アンプ４２（後述）の利得ｇ−４２とを連動して変化させ、モードＢでは、報知部４０内の判定部４７（後述）による支援の下、ターゲット音Ｒの了解度ＷＩＳが上限値ＷＩＳLIMIT（ＷＩＳLIMIT＝０．０１０）以下に保たれるようにモードＢ用アンプ３５の利得ｇ−３５を変化させる。詳しくは、後述する。
【００２１】
Ｄ／Ａ変換部３６に入力された信号Ｍ（ｋ）はＤ／Ａ変換部３６においてアナログ形式の電気信号に変換され、この電気信号がスピーカ９７からマスカ音Ｍとして部屋９２内に再生される。また、イコライザ３２の出力信号Ｍ（ｋ）は報知部４０内の判定部４７にも与えられ、判定部４７における判定処理に利用される。詳しくは、後述する。
【００２２】
報知部４０は、部屋９２内におけるターゲット音Ｒの了解度ＷＩＳが属する了解度ランクと対応づけられた報知灯９６を点灯させて部屋９１内の話者に了解度ランクを報知する手段である。この報知部４０は、Ａ／Ｄ変換部４１、収音信号用アンプ４２、Ａ特性フィルタ４３、壁特性フィルタ４４、ＲＭＳ（Root Mean Square）処理部４５、暗騒音発生部４６、および判定部４７を有する。この報知部４０内の各部の動作内容は、以下の通りである。Ａ／Ｄ変換部４１は、マイクロホン９５から与えられる話声Ｓの電気信号をデジタル形式に変換し、信号Ｓ（ｋ）として出力する。
【００２３】
Ａ／Ｄ変換部４１の出力信号Ｓ（ｋ）は、収音信号用アンプ４２により増幅された後、Ａ特性フィルタ４３と壁特性フィルタ４４を通過し、部屋９２内の受聴者に聞こえるであろうターゲット音Ｒを示す信号Ｒ（ｋ）としてＲＭＳ処理部４５に入力される。Ａ特性フィルタ４３には人の聴覚の周波数特性であるＡ特性が設定されている。壁特性フィルタ４４は、制御部７０によって設定されるパラメータＰａｒａ−Ｆに従い、Ａ特性フィルタ４３の出力信号Ｓ（ｋ）の周波数特性を壁９０を透過した場合と同等の周波数特性に調整し、信号Ｒ（ｋ）として出力する。制御部７０によるパラメータＰａｒａ−Ｆの設定の詳細は、後述する。
【００２４】
ＲＭＳ処理部４５は、壁特性フィルタ４４の出力信号Ｒ（ｋ）を過去の一定時間長分の平均二乗根である実効値信号Ｒ’（ｋ）に変換して出力する。
暗騒音発生部４６は、暗騒音メモリ１２に記憶されている暗騒音データＭａ−ｄａｔａを信号Ｍａ（ｋ）として出力する処理を繰り返す。暗騒音発生部４６の出力信号Ｍａ（ｋ）は判定部４７に入力される。
【００２５】
判定部４７は、判定処理を行う。判定処理は、ＲＭＳ処理部４５の出力信号Ｒ’（ｋ）、暗騒音発生部４６の出力信号Ｍａ（ｋ）、およびマスカ音生成部３０内のイコライザ３２の出力信号Ｍ（ｋ）から部屋９２内におけるターゲット音Ｒの了解度ＷＩＳを求め、この了解度ＷＩＳが属する報知ランクに対応づけられた色の報知灯９６を点灯させる処理である。判定処理の具体的な処理内容は以下の通りである。
【００２６】
まず、判定部４７は、信号Ｍ（ｋ）が示すマスカ音Ｍおよび信号Ｍａ（ｋ）が示す暗騒音Ｍａの実効音量レベル（ＬＭ＋ＬＭａ）＊（ｄＢ）と信号Ｒ’（ｋ）が示すターゲット音Ｒの実効音量レベルＬＲ’（ｄＢ）とを次式（２）に代入することにより音量レベル比ＴＭ（ｄＢ）を求める。ここで、実効音量レベル（ＬＭ＋ＬＭａ）＊は、マスカ音Ｍの実効音量レベルＬＭ（ｄＢ）と暗騒音Ｍａの実効音量レベルＬＭａ（ｄＢ）の各々を真数に変換して加算し、加算結果を対数に変換した値である。
ＴＭ＝ＬＲ’−（（ＬＭ＋ＬＭａ）＊−ＬＭｘ）…（２）
この式（２）において、ＬＭｘは、マスカ音の種類の違いによるマスキング効果（了解度ＷＩＳの数値）の違いを補正する補正係数である。ノイズ音、ミックス音、および人声音の各々におけるＬＭｘの値は以下の表３に示す通りである。
【表３】
0005532729.tif 000004
【００２７】
さらに、判定部４７は、前掲の式（２）によって音量レベル比ＴＭが求まる度に、了解度メモリ１４に記憶されている３種類のテーブルｔｂｌ−ｎ，ｔｂｌ−ｍ，ｔｂｌ−ｖのうちマスカ選択操作によって選択された音のテーブルｔｂｌを参照先とし、参照先のテーブルｔｂｌからその最新の音量レベル比ＴＭと対応づけられた了解度ＷＩＳを取得する。そして、判定部４７は、了解度ＷＩＳが０．０１０以下である間は緑の報知灯９６（Ｇ）を点灯させ、了解度ＷＩＳが０．０１０より大きく且つ０．２００以下である間は黄色の報知灯９６（Ｙ）を点灯させ、了解度ＷＩＳが０．２００より大きい間は赤の報知灯９６（Ｒ）を点灯させる。
【００２８】
制御部７０は、モードＡ，Ｂに共通する処理であるマスカ音切換処理と壁特性設定処理、モードＡに固有の処理である利得マニュアル調整処理、およびモードＢに固有の処理である利得自動調整処理の４種類の処理を行う。４種類の処理の内容は、以下の通りである。
【００２９】
ａ３．マスカ音切換処理
マスカ音切換処理では、制御部７０は、マスカ選択操作によってマスカ音Ｍの種類が切り換えられる度に、切り換え後の音の種類を示す音種類信号Ｍ−ｋｉｎｄを再生部３１と判定部４７に供給する。再生部３１は、制御部７０から与えられる音種類信号Ｍ−ｋｉｎｄに従って再生対象のマスカ音データＭ−ｄａｔａを切り換え、判定部４７は、制御部７０から与えられる音種類信号Ｍ−ｋｉｎｄに従って参照先のテーブルｔｂｌを切り換える。
【００３０】
ｂ３．壁特性設定処理
壁特性設定処理では、制御部７０は、遮音等級選択操作によって選択された遮音等級ｉに応じてイコライザ３２のパラメータＰａｒａ−Ｅと壁特性フィルタ４４のパラメータＰａｒａ−Ｆを設定する。より具体的に説明すると、制御部７０は、遮音等級選択操作によって選択された遮音等級ｉをもった壁９０の透過損失特性（具体的には、１２５Hzから４ｋHzまでの１オクターブ帯域毎の壁９０の透過前後の音量レベル比：以下、単に「透過損失特性」という）とイコライザ３２の振幅特性が同じになるようなパラメータＰａｒａ−Ｅをイコライザ３２に設定するとともに、その透過損失特性と壁特性フィルタ４４の振幅特性が同じになるようなパラメータＰａｒａ−Ｆを壁特性フィルタ４４に設定する。
【００３１】
ｃ３．利得マニュアル調整処理
利得マニュアル調整処理では、制御部７０は、音量調整ボリューム２１の操作に応じてモードＡ用アンプ３４の利得ｇ−３４を調整する。また、制御部７０は、この調整により、モードＡ用アンプ３４の利得ｇ−３４が大きくなるときには、それに連動させて収音信号用アンプ４２の利得ｇ−４２を小さくし、モードＡ用アンプ３４の利得ｇ−３４が小さくなるときには、それに連動させて収音信号用アンプ４２の利得ｇ−４２を大きくする。すなわち、制御部７０は、モードＡ用アンプ３４の利得ｇ−３４を調整する度に、モードＡ用アンプ３４の利得ｇ−３４の調整分（ｄＢ値）と絶対値が同じで符号を反転した値と収音信号用アンプ４２の利得ｇ−４２の調整分（ｄＢ値）が一致するように音信号用アンプ４２の利得ｇ−４２を調整する。
【００３２】
ｄ３．利得自動調整処理
利得自動調整処理では、制御部７０は、判定部４７からその判定処理において求めた了解度ＷＩＳを示すデータの供給を受ける。そして、制御部７０は、判定部４７から供給されたデータが示す了解度ＷＩＳが上限値ＷＩＳLIMIT（ＷＩＳLIMIT＝０．０１０）を超えると、了解度ＷＩＳを上限値ＷＩＳLIMIT以下にするために必要なマスカ音Ｍの不足音量レベルを算出し、モードＢ用アンプ３５の利得ｇ−３５をこの不足音量レベルに応じて制御する。
【００３３】
以上説明したように、会話漏洩防止装置１０は、モードＡに固有の処理である利得マニュアル調整処理では、モードＡ用アンプ３４の利得ｇ−３４が小さくなるときは、それに連動させて収音信号用アンプ４２の利得ｇ−４２を大きくし、マイクロホン９５が収音した話声Ｓの音量レベルＬＳが見かけ上大きくなったものとして了解度ＷＩＳを算出する。よって、モードＡにおいて、話者が部屋９２に放音するマスカ音Ｍの音量レベルＬＭを小さくすると、「Ｂ」や「Ｃ」などのより高い了解度レベルの報知灯９６（Ｙ），９６（Ｒ）が点灯しやすくなり、話者が話声Ｓの大きさを抑えるように促すことができる。
【００３４】
また、会話漏洩防止装置１０は、音量調整ボリューム２１の操作に応じてマスカ音Ｍの音量レベルＬＭをマニュアル調整するモードＡと、部屋９２内におけるターゲット音Ｒの了解度ＷＩＳが指定レベル以下に保たれるようにマスカ音Ｍの音量レベルＬＭを自動調整するモードＢのうち操作部２０により選択された一方のモードで動作する。モードＡとモードＢの２つのモードで動作する構成をとることにより、これまで未解決であった以下の課題を解決することができる。すなわち、これまでのこの種の会話漏洩防止装置は、隣の部屋９２に放音するマスカ音Ｍの音量レベルＬＭをボリュームなどの操作子によってマニュアル調整できるようにはなっていたものの、部屋９２内におけるターゲット音Ｒの了解度ＷＩＳが所望の了解度ＷＩＳ以下となるようにマスカ音Ｍの音量レベルＬＭを自動調整するようにはなっていなかった。このため、この種の会話漏洩防止装置は、自らの話声Ｓの大きさを抑えたりマスカ音Ｍの音量レベルＬＭをマニュアル調整するのを煩わしく感じる話者にとっては使い勝手が悪かった。これに対し、本発明の実施形態である会話漏洩防止装置１０によると、話者は、報知灯９６（Ｇ）、９６（Ｙ），９６（Ｒ）の点灯状態に応じて自らの話声Ｓの大きさを抑えたりマスカ音Ｍの音量レベルＬＭを調整することを煩わしく感じない場合にはモードＡを選び、そのようなことに注意を振り向けることなく一定のマスキング効果が保証された状態で話したいときはモードＢを選ぶ、というように、自身の要求や好みに合わせて会話漏洩防止装置１０の使い方を変えることができる。
【００３５】
以上、この発明の一実施形態について説明したが、この発明には他にも実施形態があり得る。例えば、以下の通りである。
（１）上記実施形態では、ターゲット音Ｒの音量レベルＲＬと各種のマスカ音Ｍと音量レベルＬＭとの音量レベル比ＴＭと部屋９２におけるターゲット音Ｒの了解度ＷＩＳの関係を示す関数をテーブルｔｂｌの代わりに準備し、この関数を用いて了解度ＷＩＳを求めるようにしてもよい。
【００３６】
（２）上記実施形態において、制御部７０は、利得マニュアル調整処理では、モードＡ用アンプ３４の利得ｇ−３４の変化に連動して収音信号用アンプ４２の利得ｇ−４２を変化させた。しかし、モードＡ用アンプ３４の利得ｇ−３４に連動して前掲の表１における了解度ランクの該当範囲の上限値や下限値を上下動させてもよい。この態様では、制御部７０は、たとえば、モードＡ用アンプ３４の利得ｇ−３４を変化させた場合、変化後の利得ｇ−３４を判定部４７に通知する。判定部４７は、制御部７０から通知された利得ｇ−３４が基準利得を上回る場合は、基準利得を上回った分だけ各了解度ランクの該当範囲の上限値および下限値を低くした上で了解度ランクの判定を行う。また、判定部４７は、制御部７０から通知された利得ｇ−３４が基準利得を下回る場合は、基準利得を下回った分だけ各了解度ランクの該当範囲の上限値および下限値を高くした上で了解度ランクの判定を行う。
【００３７】
（３）上記実施形態において、Ａ／Ｄ変換部４１の出力信号Ｓ（ｋ）を複数の帯域（たとえば、１オクターブごとの帯域や１／３オクターブごとの帯域）に分割し、分割した帯域毎の信号Ｓ（ｋ）ｍ（ｍ＝１，２…：ｍは帯域を示すインデックス）の各々を用いて帯域毎の音量レベル比ＴＭｍ（ｍ＝１，２…）を求め、それらの音量レベル比ＴＭｍ（ｍ＝１，２…）の合計値と対応する了解度ＷＩＳをテーブルｔｂｌから取得してもよい。
【００３８】
（４）上記実施形態において、標準的な室内の暗騒音の周波数スペクトルをもつ音波形のデータを暗騒音データＭａ−ｄａｔａとして暗騒音メモリ１２に記憶してもよい。この場合において、再生部３１は、この暗騒音データＭａ−ｄａｔａが示す信号Ｍ（ｋ）のレベルを部屋９２内における暗騒音Ｍａの実効騒音レベル（ｄＢＡ）に合わせて調整した上で出力するとよい。この暗騒音Ｍａの実効騒音レベル（ｄＢＡ）は、部屋９２内における実測値から得られたものであってもよいし計算によって得られたものであってもよい。
【００３９】
（５）上記実施形態において、制御部７０は、モードＢからモードＡへの動作モードの切り換えが行われた場合に、モードＢにおいてモードＡへの切り換えの直前にモードＢ用アンプ３５に設定していた利得ｇ−３５をモードＡにおけるモードＡ用アンプ３４の利得ｇ−３４の初期値とし、以降の利得マニュアル調整処理では、その初期値として設定した利得ｇ−３４を音量調整ボリューム２１の操作に応じて制御してもよい。この実施形態によると、音量調整に不慣れな話者が、まず、モードＢで、ターゲット音Ｒの十分な不明瞭性が保証されるようなマスカ音Ｍの音量レベルＬＭを見つけ、その後、モードＡに切り換えて、マスカ音Ｍの音量レベルＬＭのさらなる微調整を行う、といった使い方を行うことができる。また、上記実施形態において、制御部７０は、モードＡからモードＢへの動作モードの切り換えが行われた場合に、モードＡにおいてモードＢへの切り換えの直前にモードＡ用アンプ３４に設定していた利得ｇ−３４をモードＢにおけるモードＢ用アンプ３５の利得ｇ−３５の初期値とし、以降の利得自動調整処理では、その初期値として設定した利得ｇ−３５を部屋９０のマイクロホン９５に収音された音から求めた了解度ＷＩＳに応じて制御してもよい。
【００４０】
（６）上記実施形態において、モードＡの動作時における了解度ＷＩＳの上限値ＷＩＳLIMIT−Ａを指定する操作を受け付け、制御部７０は、モードＡで動作している間に了解度ＷＩＳが上限値ＷＩＳLIMIT−Ａに達した場合に、了解度ＷＩＳが上限値ＷＩＳLIMIT−Ａを超えないようにマスカ音Ｍの音量レベルＬＭを制御してもよい。この実施形態によると、制御部７０は、ターゲット音Ｒの音量レベルＬＲが急に大きくなったなどの事情により、了解度ＷＩＳが上限値ＷＩＳLIMIT−Ａに達するまで上昇した場合には、音量調整ボリューム２１の操作の如何に拘わらずマスカ音Ｍの音量レベルＬＭを上げることにより了解度ＷＩＳのさらなる上昇を防ぐ。よって、本実施形態によると、部屋９１内の話者がマスカ音Ｍの音量レベルＬＭの調整の操作を行わなくても、予め設定された上限値ＷＩＳLIMIT−Ａ以上に了解度ＷＩＳが悪化することがなくなる。
【００４１】
（７）上記実施形態において、モードＢの動作時におけるマスカ音Ｍの音量レベルＬＭの上限値ＬＭLIMIT−Ｂを指定する操作を受け付け、制御部７０は、モードＢで動作している間にマスカ音Ｍの音量レベルＬＭが上限値ＬＭLIMIT−Ｂに達した場合に、音量レベルＬＭが上限値ＬＭLIMIT−Ｂを超えないように了解度ＷＩＳの上限値ＷＩＳLIMITを制御するようにしてもよい。この実施形態によると、制御部７０は、ターゲット音Ｒの音量レベルＬＲが急に大きくなったなどの事情により、マスカ音Ｍの音量レベルＬＭが上限値ＬＭLIMIT−Ｂに達するまで上昇した場合には、了解度ＷＩＳが上限値ＷＩＳLIMITを超えることを看過し、それと引き換えにターゲット音Ｒの音量レベルＬＭを上限値ＬＭLIMIT−Ｂ以下に抑え込む。よって、本実施形態によると、マスカ音Ｍの音量レベルＬＭが大きくなりすぎて部屋９２内の者が喧騒間を感じてしまう、という不都合の発生が防止される。
【００４２】
（８）上記実施形態では、壁９０を挟んで隣接する２つの部屋９１，９２のうち一方の部屋９１に会話漏洩防止装置１０を設置し、この会話漏洩防止装置１０を他方の部屋９２のスピーカ９７と接続した。しかし、会話漏洩防止装置１０とスピーカ９７を、壁よりも丈の低い衝立を挟んで区画された第１および第２の領域の各々に設置してもよい。
【００４３】
（９）上記実施形態において、了解度ランク「Ａ」、「Ｂ」、「Ｃ」に対応づけられた色の報知灯９６（Ｇ）、９６（Ｙ）、９６（Ｒ）に代えてディスプレイ（表示手段）を備え付け、制御部７０が算出した了解度ＷＩＳをこのディスプレイ（表示手段）に表示させるようにしてもよい。
【００４４】
（１０）上記実施形態において、表２に記された各種マスカ音の再生音レベルや表３に記された各種マスカ音の補正係数ＬＭｘは一例に過ぎず、これらの表に記された値と異なる再生音レベルや補正係数ＬＭｘを採用してもよい。また、テーブルｔｂｌ−ｎ，ｔｂｌ−ｍ，ｔｂｌ−ｖにおいて、了解度ＷＩＳと音量レベル比ＴＭを図３と異なる対応関係としてもよい。
【符号の説明】
【００４５】
１０…会話漏洩防止装置、１１…マスカ音メモリ、１２…暗騒音メモリ、１４…了解度メモリ、２０…操作部、２１…音量調整ボリューム、２２…スイッチ群、３０…マスカ音生成部、３１…再生部、３２…イコライザ、３３…メインアンプ、３４…モードＡ用アンプ、３５…モードＢ用アンプ、３６…Ｄ／Ａ変換部、４０…報知部、４１…Ａ／Ｄ変換部、４２…収音信号用アンプ、４３…Ａ特性フィルタ、４４…壁特性フィルタ、４５…ＲＭＳ処理部、４６…暗騒音発生部、４７…判定部、７０…制御部、９０…壁、９１，９２…部屋、９３…ケーブル、９５…マイクロホン、９６…報知灯、９７…スピーカ。
【図１】
0005532729.tif 000005
【図２】
0005532729.tif 000006
【図３】
0005532729.tif 000007